(57)【要約】遠隔に設置された取り外し可能な液圧ホース接続を用いた、機能不全のＢＯＰ制御コンポーネントの周りに、バックアップの流体の流れまたは代替の流体の流れのルートを可能にする装置が提供される。このバックアップの流体の流れのルートは、圧力を調整された液圧流体を、ＢＯＰに堅く取り付けられた隔離弁を介してＢＯＰ操作部に、次いでＢＯＰ上の介在パネルに接続されたホースに、最後に一次的な流れのルートを隔離させる弁を通して送り、二次的な流れのルートを確立して連続的な操作を可能にする。信頼性を高めるために、バックアップコンポーネントは、スペアＢＯＰ機能部からルートを定め、ＢＯＰに堅く固定されている。
2010540800.tif 000002
【特許請求の範囲】
【請求項１】
ＢＯＰ流体供給装置であって、該ＢＯＰ流体供給装置は、
液圧流体の主要供給源と、
ＢＯＰ機能部と、
ＢＯＰ機能部を操作することを補助する一次的なコンポーネントを通り、第一の弁を通り、第二の弁を通り、次いで該ＢＯＰ機能部に至る、液圧流体の該主要供給源からの一次的な流体の流れのルートと、
該ＢＯＰに堅く固定された隔離弁を通り、該ＢＯＰに堅く固定されたパイロット操作式ホットスペア弁を通り、介在パネルに取り外し可能に接続されたホースを通り、第二の弁を通り、該ＢＯＰ機能部に至る、液圧流体の該主要供給源からの二次的な流体の流れのルートであって、該二次的な流体の流れのルートは、該ＢＯＰ機能部と該第一の弁とを操作することを補助する該一次的なコンポーネントをバイパスし、液圧流体を操作される該ＢＯＰ機能部に提供する、二次的な流体の流れのルートとを含む、ＢＯＰ流体供給装置。
【請求項２】
前記一次的な流体の流れのルートおよび前記二次的な流体の流れのルートは、調整器を通る、請求項１に記載の装置。
【請求項３】
前記二次的な流体の流れのルートは、前記ＢＯＰ機能部の操作リダンダンシーを可能にする、請求項１に記載の装置。
【請求項４】
前記パイロット操作式弁は、海面のステーションにおいて制御可能であり、前記ＢＯＰ上のホットスペア供給源からパイロット操作のための液圧流体を得る、請求項１に記載の装置。
【請求項５】
前記一次的な流体の流れのルートおよび前記二次的な流体の流れのルートを制御するようにプログラムされ得る、電子多重システムを前記海面のステーションにおいてさらに備えている、請求項４に記載の装置。
【請求項６】
前記介在パネルは、対応する複数のＢＯＰ機能部につながる複数の接続ポートを備えている、請求項１に記載の装置。
【請求項７】
前記第一の弁および前記第二の弁は、シャトル弁であり、前記パイロット操作式弁は、ＳＰＭソレノイド操作式弁である、請求項１に記載の装置。
【請求項８】
前記隔離弁は、ＲＯＶによって操作され得る、請求項１に記載の装置。
【請求項９】
前記一次的な流体の流れのルートは、一次的な注入口を通って前記第二の弁に入り、前記二次的な流体の流れのルートは、二次的な注入口を通って該第二の弁に入る、請求項１に記載の装置。
【請求項１０】
前記一次的な流体の流れのルートは、青いポッドの一次的な流体の流れのルートを含み、前記二次的な流体の流れのルートは、青いポッドの二次的な流体の流れのルートを含み、
液圧流体の前記主要供給源からの黄色いポッドの一次的な流体の流れのルートであって、該黄色いポッドの一次的な流体の流れのルートは、前記ＢＯＰ機能部を操作することを補助する黄色いポッドの一次的なコンポーネントを通り、前記第一の弁を通り、前記第二の弁を通り、次いで該ＢＯＰ機能部に至る、黄色いポッドの一次的な流体の流れのルートと、
液圧流体の該主要供給源からの黄色いポッドの二次的な流体の流れのルートであって、該黄色いポッドの二次的な流体の流れのルートは、該ＢＯＰに堅く固定された黄色い隔離弁を通り、該青いポッドの隔離弁に接続されたシャトル弁を通り、前記パイロット操作式弁を通り、前記介在パネルに接続された前記ホースを通り、該第二の弁を通り、そして該ＢＯＰ機能部に至り、該黄色いポッドの二次的な流体の流れのルートは、該ＢＯＰ機能部および該第一の弁を操作することを補助する該黄色いポッドの一次的なコンポーネントをバイパスする、黄色いポッドの二次的な流体の流れのルートと
を含む、請求項１に記載の装置。
【発明の詳細な説明】
【技術分野】
【０００１】
（関連出願の参照）
本出願は、２００７年９月２１日に出願された米国仮出願第６０／９７４，３３９号に対する優先権を主張する。
【０００２】
（技術分野）
本発明は、概して、流体供給システムおよび装置に関し、より具体的には、ＢＯＰに対するバックアップ液圧式供給システムおよび装置に関する。
【背景技術】
【０００３】
（発明の背景）
海中掘削操作は、地層流体の掘削井の中への制御されない流れである噴出を被り得る。噴出は、危険であり、かつ費用がかかり、生命の喪失、汚染、掘削機器への損害および井戸生産の損失をもたらし得る。噴出を防ぐためには、噴出防止（ＢＯＰ）機器が必要とされる。ＢＯＰ機器は、典型的には、掘削サイトにおいて地層圧力および地層流体を安全に隔離し制御できる一連の機能を含む。ＢＯＰ機能部は、液圧式で操作される管のラムの開閉、環状シール、管を切断するように設計されたせん断ラム、掘削流体の制御された流れを可能にする一連の遠隔操作弁、および井戸リエントリー機器を含む。加えて、プロセスおよび状態を監視するデバイスがＢＯＰを完成する。掘削業界は、ＢＯＰシステム全体をＢＯＰスタックと呼ぶ。
【０００４】
井戸およびＢＯＰは、海洋ライザー管を介して海面の掘削船に接続し、海洋ライザー管は、地層流体（例えば、石油など）を海面に運び、掘削流体を循環させる。海洋ライザー管は、ＢＯＰにロアーマリーンライザーパッケージ（「ＬＭＲＰ」）を介してＢＯＰに接続し、ＬＭＲＰは、ＢＯＰに接続するデバイス、井戸制御のための環状シール、およびＢＯＰの操作のための液圧流体を供給する流れ制御デバイスを含む。ＬＭＲＰおよびＢＯＰは、一般的に、単にＢＯＰとして集合的に呼ばれ、本明細書および特許請求の範囲の中で用いられるとき、用語ＢＯＰは、ＢＯＰスタックおよびＬＭＲＰの両方をいう。多くのＢＯＰ機能部は、液圧流体および他の井戸制御流体を供給するライザーに取り付けられる管を用いて、液圧式で制御される。典型的には、中央制御ユニットは、オペレーターが海面からＢＯＰ機能部を監視および制御することを可能にする。中央制御ユニットは、さまざまなＢＯＰ機能部を制御する液圧制御システムを含み、さまざまなＢＯＰ機能部の各々は、その上流にさまざまな流れ制御コンポーネントを有する。海面の船上のオペレーターは、典型的には、流れ制御コンポーネントおよびＢＯＰ機能部を電子多重制御システムを介して操作する。
【０００５】
特定の掘削または周囲の状況は、オペレーターがＢＯＰからＬＭＲＰを切断し、ライザーおよびＬＭＲＰを海面の船に回収することを必要とする。ＬＭＲＰが切断されているとき、地層流体が環境中に漏洩しないために、ＢＯＰ機能部は、井戸を収容しなければならない。異常な状態または切断の状態にある井戸が収容される可能性を高めるために、企業は、典型的には、一つの制御コンポーネントが故障した場合に制御の損失を防ぐように設計されたリダンダントなシステムを含む。通例、企業は、主要な制御ユニットのすべてを二倍にするために、二つの別個の独立な中央制御ユニットを設置することによって、リダンダンシーを提供する。業界は、二つの中央制御ユニットを青いポッドおよび黄色いポッドと呼ぶ。一度に一方のポッドのみが用いられ、もう一方のポッドは、バックアップを提供する。
【０００６】
先行技術のシステムは、二重のリダンダンシーを有するが、このリダンダンシーは、安全性リダンダンシーにのみ有効で、操作リダンダンシーには有効でなく、このことは、単一のコンポーネントの故障が、掘削操作を中止し、井戸を安全にし、故障したコンポーネントを交換することを必要とすることを意味する。掘削を中止してコンポーネントを交換することは、しばしば、長い運転休止期間と、掘削請負業者および掘削オペレーターに対するかなりの収益の損失を表す。
【０００７】
さらに、ＢＯＰが海面にあるとき、さまざま機能をテストすることは、典型的には、ＢＯＰ機能部に対するねじ接続部を破壊することを必要とする。ねじ接続部を作り、破壊することは、接続に対する損害の機会を可能にし、交換および可能なダウンタイムを必要とする。
【発明の概要】
【発明が解決しようとする課題】
【０００８】
業界は、付加的なリダンダンシーを提供し、計画にないスタック回収を防ぐ、単純で、信頼でき、コスト効果の高い方法が必要である。業界は、海中の井戸制御機器を制御し、機器が海面にあるときに機器をテストし、メンテナンスする、より単純で、経済的で、効果的な方法が必要である。
【課題を解決するための手段】
【０００９】
（発明の簡潔な概要）
本発明は、代替の流れのルートを介して流体の流れのコンポーネントにリダンダンシーを提供する、改善された方法および装置を提供する。本発明は、連続的な機能部への流れと連続的な機能部の制御とを可能にしながら、欠陥のあるコンポーネントの安全で効率的なバイパスを可能にする。本発明は、さまざまな既存の流れのシステムの中に一体化されるか、または完全に新しい流れのシステム上に配置され、一層の効率的なリダンダンシーを提供し得る。
【００１０】
一部の実施形態において、流体供給装置は、液圧流体の主要供給源と、ＢＯＰ機能部と、ＢＯＰ機能部を操作することを補助する一次的なコンポーネントを通り、第一の弁を通り、第二の弁を通り、次いでＢＯＰ機能部に至る、液圧流体の主要供給源からの一次的な流体の流れのルートと、ＢＯＰに堅く取り付けられた隔離弁を通り、ＢＯＰに堅く取り付けられたパイロット操作式ホットスペア弁を通り、介在パネルに取り外し可能に接続可能なホースを通り、第二の弁を通り、ＢＯＰ機能部に至る、液圧流体の主要供給源からの二次的な流体の流れのルートであって、二次的な流体の流れのルートは、ＢＯＰ機能部と第一の弁とを操作することを補助する一次的なコンポーネントをバイパスする、液圧流体の主要供給源からの二次的な流体の流れのルートとを含む。
【００１１】
一部の実施形態において、遠隔操作ビークル（ＲＯＶ）は、従来の制御を失ったＢＯＰ機能部に選択可能な液圧供給を配備し得る。シャトル弁は、ＢＯＰ機能部に固く管でつながれた排出口と、別のシャトル弁に接続された注入口と、受容プレートから固く管でつながれた二次的な注入口とを有する。通常の流れの間、シャトルは、通常の流れの位置にあり、流体は、一次的な注入口に入り、シャトルのステムの周りを流れ、排出口から出る。バックアップの流れが二次的な注入口に導入されるとき、流体はシャトルを作動された位置まで押し流し、一次的な注入口を隔離させ、二次的な注入口からの流れのみを可能にする。
【００１２】
一部の実施形態において、ＢＯＰ液圧制御システムは、青い中央制御ポッドと、黄色い中央制御ポッドと、いずれかのポッドから、またはいずれかのポッドのために流体を供給し得る一つ以上のスペア機能とを含む。
【００１３】
ＢＯＰ機能部に対する独立した、そして／またはリダンダントな制御は、ダウンタイムを低減し、安全性を高める。本発明は、多数の確立されたシステムと互換性があり、ＢＯＰシステムコンポーネントに対して安価なリダンダンシーを提供する。別の実施形態において、スペア機能に対する制御は、既存の多重制御システムの中にわかりやすく一体化され、オペレーターが既存の制御システムを用いてスペア機能を制御することを可能にする。
【００１４】
上記は、以下の本発明の詳細な説明がより良く理解され得るように、本発明の特徴および技術的利点をかなり広範に概略的に述べている。本発明の特許請求の範囲の主題を形成する本発明の付加的な特徴および利点は、以下で説明される。開示される概念および特定の実施形態は、本発明の同じ目的を実行するための他の構造物を修正または設計するための基礎として、容易に利用され得ることが、当業者によって認識されるべきである。また、そのような均等物の構築物が添付の特許請求の範囲において述べられた本発明の精神および範囲から逸脱しないことも、当業者によって認識されるべきである。本発明の特徴であると考えられる新規な特徴は、その機構と操作の方法との両方に関して、さらなる目的および利点とともに、添付の図面に関連して考慮されるとき、以下の説明から、より良く理解され得る。しかしながら、図面の各々は、例示および説明のみの目的で提供され、本発明の限界の定義としては意図されていないことが、明白に理解される。
【図面の簡単な説明】
【００１５】
本発明のより完全な理解のために、ここで、添付の図面と結びつけて理解される以下の説明に対して、参照が行われる。
【図１】図１は、本発明の一実施形態を組み込んだＬＭＲＰを含むＢＯＰ装置の斜視図である。
【図２】図２は、本発明の一実施形態を表現する海中制御システムの概略図である。
【発明を実施するための形態】
【００１６】
（発明の詳細な説明）
本明細書で用いられるとき、単語「一つの（ａ）」または「一つの（ａｎ）」の使用は、特許請求の範囲および／または明細書で用語「備える、含む（ｃｏｍｐｒｉｓｉｎｇ）（または同義の「有する」）」と結びつけて用いられる場合には、「一つ（ｏｎｅ）」を意味し得るが、その使用はまた、「一つ以上」、「少なくとも一つ」および「一つまたは二つ以上」の意味とも矛盾しない。加えて、本明細書で用いられるとき、語句「に接続される」は、直接にまたは中間のコンポーネントを介して、接合されるか、または連通するように配置されることを意味する。
【００１７】
図１を参照すると、本発明の一実施形態は、操作リダンダンシーを提供する装置を含む。図１に示される実施形態において、ＢＯＰシステム１０００は、ＢＯＰスタック１００１、ＬＭＲＰ１００２、介在パネル１００３および介在パネル１００４、黄色いポッド１００５ならびに青いポッド１００６を含む。典型的な操作において、液圧流体は、一次的な流れのルートを介してＢＯＰ機能部へ流れ、一次的な流れのルートは、例えば、弁、管、ホース、シール、接続部および器具類のようなコンポーネントを含み得るが、これらに限定されない。ＢＯＰ制御機能は、液圧式で操作される管のラムの開閉、環状シール、管を切断するように設計されたせん断ラム、掘削流体の制御された流れを可能にする一連の遠隔操作弁、ライザーコネクターおよび井戸リエントリー機器を含むが、これらに限定されない。
【００１８】
本発明に従って、バックアップされていない、制御ポッド１００５または制御ポッド１００６の内側にある複数のコンポーネントのうちの任意の一つの故障または機能不全は、掘削を停止することと、制御ポッドを修理することとを必要とし、これらは多くの費用を要する。青または黄色の制御ポッドの中、あるいは別の場所にある制御コンポーネントが機能不全の場合には、制御コンポーネントが対応するＢＯＰ機能は、通常の指令（例えば、環状空間は閉ざさない）に応答しない。既存のバックアップは、制御ポッドを含み、制御ポッドは、さまざまなＢＯＰ機能部に固く管でつながれ（ｈａｒｄ  ｐｉｐｅｄ）、このことは、制御ポッド１００５または制御ポッド１００６の中の一つのコンポーネントが故障して、修理されなければならない場合には、制御ポッドまたはＬＭＲＰ全体は、接続を切断しなければならず、制御ポッドのＢＯＰ機能に対する制御は、停止するか、制限されることを意味する。本明細書で用いられるとき、「固く管でつながれる」または「固く管でつなぐ」または「堅く接続される」は、コンポーネントと、常置であるかまたはＲＯＶによって容易に取り外されない関連した接続部とを管でつなぐことをいう。このことは、堅く接続されたコンポーネントがより信頼できるので、重要である。加えて、安全性および規制上の理由で、掘削操作は、ただ一つの運転中の制御ポッドによっては動作できないか、または動作しない。結果として、一つのポッドの一つのコンポーネントの故障は、掘削操作の停止を余儀なくさせる。本発明の一実施形態は、ＢＯＰの中に組み込まれるスペア機能を介して多くのＢＯＰ機能に対する選択可能なバックアップ制御を提供することによって、海中の掘削におけるこの問題を克服する。
【００１９】
一次的な流れのルートに故障がある場合には、バックアップの流れのルートがスペア機能１０１０を含み、スペア機能１０１０は、ＢＯＰに堅く接続された任意のバックアップ機能または決定的でない機能であり得る。スペア機能１０１０の堅く、取り外し可能でない性質は、故障個所を排除し、信頼性を増す。流体は、スペア機能１０１０から、ホース１００９を含む複数のコンポーネントを通って、介在パネルの中に流れる（介在パネルは、以下で説明される故障した機能部に固く管でつながれている）。
【００２０】
図示されるように、ＲＯＶ１００７は、ホットスタブ１００８を含むホース１００９を介在パネル１００４に接続する。いったんホットスタブ１００８が接続されると、調整されたマニホルド加圧液圧流体は、スタブの位置に対応する機能部にルート付けされ、操作リダンダンシーを可能にし、ダウンタイムを回避する。ホース１００９を展開するＲＯＶ１００７は、介在パネル１００３または介在パネル１００４にホース１００９を接続するか、あるいは介在パネル１００３または介在パネル１００４からホース１００９の接続を切断し得る。ＲＯＶ１００７は、海面から人間のオペレーターによって操作され得るか、または多重制御システムからの入力に基づいて特定の接続または切断を実行するようにプログラムされ得る。
【００２１】
ホース１００９は、介在プレート１００３または介在プレート１００４への一時的接続を介してＢＯＰ機能部に接続し、この一時的接続は、市販されて利用可能なスタブ接続（例えば、接続ポートの中に延び、液圧回路と嵌合する外部の自己整列液圧リンクを有するスタブ接続）を含む。概して、スタブ接続は、受容器または雌部分と、スタブまたは雄部分とを含み、いずれの部分も、一般的にスタブ接続と呼ばれ得る。
【００２２】
一部の実施形態において、電子多重制御システム（「ＭＵＸ」）および海面上のオペレーターは、ＢＯＰ機能および液圧供給を制御および／または監視する。単純な意味で、ＭＵＸは、オペレーターがボタンを押すことなどによってＢＯＰ機能を制御することを可能にする。例えば、オペレーターは、ボタンを押すこと、または電子的指令を入力することによって、液圧システムに環状空間を閉じるように信号を送り、環状空間を閉じる。一部の実施形態において、本発明は、既存の多重システムに組み込まれ、結果として、バックアップ液圧供給の開始は、ボタンを押すことによって指令され得る。加えて、ソフトウェアは、通常の流れが用いられる場合でもバックアップの流れが用いられる場合でも、オペレーターが同じボタンを押して特定の機能を制御する点で、通常の流れとバックアップの流れとの切り換えがわかりやすいことを可能にし得る。
【００２３】
図１１は、制御システム１１００を含む本発明の実施形態を示す。標準的な操作において、加圧液圧流体は、海面からライザーを介してライン１１０１の中を制御ポッド１１０２または制御ポッド１１０３まで流れる。ＢＯＰの「開く」機能を制御するポッド１１０２を通る流れを仮定すると、流体は、調整器１１０４を通り、さまざまな機器を通り、次いでライン１１０５および弁１１０６を通り、機能部１１０７まで流れる。
【００２４】
図示される本発明の実施形態は、ＢＯＰに堅く取り付けられたスペア機能からホットスタブ１００８を介して一体化された液圧流体の供給源を提供することと、付加的な弁１１０９に管でつなぐことと、弁１１０９から一つの機能部に管でつなぐこととによって、一層の操作リダンダンシーを付加する。例えば、一次的な液圧ルートの機能不全がある場合には、ホットスタブ１００８は、介在パネルに接続され得、結果として、流体は、弁１１０９が移動するように力を加え、関連した固い管を介してＢＯＰ機能部１１０７に流体が流れることを可能にする。弁１１０６および弁１１０９は、シャトル弁のようなさまざまな公知の弁であり得る。
【００２５】
バックアップ供給ルートは、好適には調整器１１０４の下流で始まり、ＢＯＰに堅く取り付けられた弁１１１０につながり、弁１１１０は、ＲＯＶによって操作可能な隔離弁であり得るか、または必要とされるまでバックアップルートを通る流れを妨げる別の適切な弁であり得る。弁１１１０を通る流れは、弁１１１１につながり、弁１１１１は、ホース１００９につながる。ホットスペア１１１２のようなスペアの排出口（または、スペアが存在しない場合には、決定的でない機能部）からのパイロット液圧信号は、ホットスペアとして作用し得、弁１１１１を移動させ、ホース１００９を通してスタブ１００８に調整された流体を供給するように用いられ得る。一実施形態において、弁１１１１は、ホットスタブソレノイドパイロット式（ｐｉｌｏｔｅｄ）ＬＭＲＰ搭載スペアサブプレート搭載（ＳＰＭ）弁である。すべての主なコンポーネントが堅くＢＯＰ装置に固定されているので、ポイント故障（ｐｏｉｎｔ  ｆａｉｌｕｒｅ）は排除され、操作リダンダンシーの信頼できる供給源が提供される。
【００２６】
結果として、故障が生じる場合には、ＲＯＶは、スペア供給源１０１０から通じている空中を先行する（ｆｌｙｉｎｇ  ｌｅａｄ）液圧ホットスタブホース１００９を、ＬＭＲＰまたはＢＯＰスタック上に配置された介在パネル１００３または介在パネル１００４への適切なＲＯＶ入力にルート付けし得る。ここでホットスタブは、故障したポッド回路からの出力の代わりに液圧出力を供給する。海面でのＢＯＰ制御パネル上のスペア機能は、次いで、スペア機能が今制御する機能によってラベル付けされる。結果として、完全な操作リダンダンシーが提供され、すべての機能の継続的な操作を可能にする。
【００２７】
図１１において示されるように、このシステムは、「青」のポッド１１０２と「黄色」のポッド１１０３との両方に対するリダンダンシーを提供され得る。結果として、弁１１１３は、弁１１１０を補足し、ホットスペア１１１４は、スペア１１１２を補足し、両方の場合において、シャトル弁（それぞれ１１１５と１１１６と）または他の適切な弁が、二つの補足弁の間の流れを加減する。詳細に図示されていないが、付加的なホットスペアパッケージ１１１７（ホットスペアと弁１１１１を補足する弁とを含む）は、弁１１１０と１１１３との下流のラインから分岐し、スタブ位置１１１８において介在パネルに入る第二のホットスタブを操作し得、スタブ位置１１１８は、それを弁１１１９および弁１１２０と関連づけ、弁１１１９および弁１１２０は、それぞれ弁１１０６および弁１１０９に類似している。付加的なホットスペアパッケージが付加され得、その各々は、海面から別個に制御され得る。
【００２８】
介在パネルを介して操作リダンダンシーを提供される各機能に対して、弁１１０９および弁１１２０（および関連づけられた管）のような弁が利用される。各弁は、１／２”外径管を用いた介在パネルに接続され得るが、他の管が用いられ得る。一実施形態において、介在パネルおよびレセプタクルは、ＡＰＩ１７Ｄ仕様に従って組み立てられるが、他の構成が本発明の範囲内に存在する。
【００２９】
しかしながら、各ＢＯＰ／ＬＭＲＰ機能に対するホットスペアパッケージがリダンダンシーを提供される必要はなく、ホットスペアパッケージの数は、一つまで少なくあり得る。このことは、概して、いくつかのＢＯＰ機能が同時に故障することは実際にはなく、結果として、一つまたは二つのホットスペアパッケージでしばしば十分であるからである。
【００３０】
加えて、ＢＯＰスタックが海面上にあり、劣化および故障につながり得る既存の接続部を作る、破壊するまたは操作する必要なしにメンテナンスを容易にする場合には、介在パネルおよび関連づけられた弁およびチューブまたは管（例えば、弁１１０９および弁１１２０）は、ＢＯＰ機能部の作動を可能にする。オペレーターは、介在パネル上の適切な受容器に接続部を単純に差し込み、次いで、関連づけられた機能部に対してテストを行うか、あるいはメンテナンスを実行し得る。
【００３１】
結果として、このシステムは、リダンダンシーを増加させ、割り込むメンテナンス行動を排除し得る。修正は、大きなＢＯＰ制御機能部の故障の後でさえも（付加的なＢＯＰ制御リダンダンシーを介した）継続的な操作を可能にする海中のＢＯＰスタック上での最小量のハードウェアの設置を含む。任意の数の機能部がリダンダンシーを提供され得るが、そのようなリダンダンシーに対する最良の候補は、可能性のある単一のポイント故障の分析によって識別され得る。加えて、ＢＯＰスタックが海面上にあり、既存の接続部を中断させる必要なしにメンテナンスを容易にする場合には、付加されたハードウェアは、ＢＯＰ機能部の作動を可能にする。この付加的な特徴は、海面上でのメンテナンスを容易にし、メンテナンスに誘引された故障を被る可能性を低減する。
【００３２】
本発明およびその利点が詳細に説明されているが、添付の特許請求の範囲によって規定されたような本発明の精神および範囲から逸脱することなしに、さまざまな変化、代替物および変更が本明細書において行われ得ることが、理解されるべきである。さらに、本出願の範囲は、本明細書で説明されるプロセス、機械、製造、物質の組成、手段、方法およびステップの特定の実施形態に限定されるようには意図されていない。当業者が本発明の開示から容易に認識するように、実質的に同じ機能を実行するか、または本明細書で説明される対応する実施形態と実質的に同じ結果を達成する、現在存在するか、または後に開発される予定のプロセス、機械、製造、物質の組成、手段、方法またはステップは、本発明に従って利用され得る。したがって、添付の特許請求の範囲は、その範囲内に、そのようなプロセス、機械、製造、物質の組成、手段、方法またはステップを含むように意図される。
【図１】
2010540800.tif 000003
【図２】
2010540800.tif 000004
【国際調査報告】
2010540800.tif 000005